(57)【特許請求の範囲】
【請求項１】
電源から入力されるＤＣの参照電圧を細分化して、複数の階調表示用のアナログ電圧を発生する基準電圧発生手段と、前記複数の階調表示用のアナログ電圧から、入力された表示データに対応した電圧を選択して、表示素子を駆動する階調表示電圧として表示パネルへ出力する選択手段とを備えて構成される表示駆動装置において、
前記基準電圧発生手段は、
前記参照電圧を細分化する分割手段と、
前記参照電圧が印加される、前記分割手段の少なくとも両端から、前記電源からとは異なる経路でＤＣ電流を供給するバイパス手段とを含んで構成されており、
前記基準電圧発生手段のバイパス手段によって供給されるＤＣ電流は、前記選択手段を介して前記表示パネルに供給されることを特徴とする表示駆動装置。
【請求項２】
電源から入力されるＤＣの参照電圧を細分化して、複数の階調表示用のアナログ電圧を発生する基準電圧発生手段と、前記複数の階調表示用のアナログ電圧から、入力された表示データに対応した電圧を選択して、表示素子を駆動する階調表示電圧として表示パネルへ出力する選択手段とを備えて構成される表示駆動装置において、
前記基準電圧発生手段は、
前記参照電圧を細分化する分割手段と、
前記参照電圧が印加される、前記分割手段の少なくとも両端から、前記電源からとは異なる経路でＤＣ電流を供給するバイパス手段とを含んで構成されており、
前記基準電圧発生手段のバイパス手段は、前記ＤＣ電流を供給するパワー素子と、該パワー素子が前記ＤＣ電流の供給を行うか否かを制御信号に応じて制御する論理回路とを内蔵することを特徴とする表示駆動装置。
【請求項３】
電源から入力されるＤＣの参照電圧を細分化して、複数の階調表示用のアナログ電圧を発生する基準電圧発生手段と、前記複数の階調表示用のアナログ電圧から、入力された表示データに対応した電圧を選択して、表示素子を駆動する階調表示電圧として表示パネルへ出力する選択手段とを備えて構成される表示駆動装置において、
前記基準電圧発生手段は、
前記参照電圧を細分化する分割手段と、
前記分割手段の少なくとも両端から、前記電源からとは異なる経路でＤＣ電流を供給するバイパス手段とを含んで構成されており、
前記基準電圧発生手段のバイパス手段は、前記ＤＣ電流を供給するパワー素子と、カウンタを含み、予め定める期間だけ前記ＤＣ電流を供給するように前記パワー素子をＯＮ／ＯＦＦ制御する論理回路とを内蔵することを特徴とする表示駆動装置。
【請求項４】
電源から入力されるＤＣの参照電圧を細分化して、複数の階調表示用のアナログ電圧を発生する基準電圧発生手段と、前記複数の階調表示用のアナログ電圧から、入力された表示データに対応した電圧を選択して、表示素子を駆動する階調表示電圧として表示パネルへ出力する選択手段とを備えて構成される表示駆動装置において、
前記基準電圧発生手段は、
前記参照電圧を細分化する分割手段と、
前記参照電圧が印加される、前記分割手段の少なくとも両端から、前記電源からとは異なる経路でＤＣ電流を供給するバイパス手段とを含んで構成されており、
前記基準電圧発生手段は、プリチャージおよびディスチャージのＤＣ電流を供給するパワー素子と、予め定める期間だけ前記プリチャージおよびディスチャージのＤＣ電流を供給するように前記パワー素子をＯＮ／ＯＦＦ制御する論理回路とを内蔵するプリチャージ／ディスチャージ手段を備えることを特徴とする表示駆動装置。
【請求項５】
前記プリチャージ／ディスチャージ手段の論理回路は、参照電圧の振幅の最大値または最小値に応じて、前記プリチャージ動作とディスチャージ動作との切換えを行うことを特徴とする請求項４記載の表示駆動装置。
【請求項６】
前記基準電圧発生手段のバイパス手段は、前記ＤＣ電流を供給するパワー素子と、極性反転信号に応じて前記パワー素子をＯＮ／ＯＦＦ制御し、前記アナログ電圧として、正極性の電圧と負極性の電圧とを切換え出力させる論理回路とを内蔵することを特徴とする請求項１〜５の何れか１項に記載の表示駆動装置。
【請求項７】
前記請求項１〜６の何れか１項に記載の表示駆動装置を用いることを特徴とする液晶駆動装置。
【発明の詳細な説明】
【０００１】
【発明の属する技術分野】
本発明は、液晶パネル（液晶表示部）などを駆動する表示駆動装置と、その表示駆動装置を用いて前記液晶パネルとともに構成される液晶表示装置とに関するものであり、特に回路規模を小さく抑え、回路の消費電力を低減するための手法に関する。
【０００２】
【従来の技術】
図１２は、前記液晶表示装置の代表例であるＴＦＴ（薄膜トランジスタ）アクティブマトリクス方式の液晶表示装置１のブロック構成を示す図である。この液晶表示装置１は、大略的に、液晶パネル２と、それを駆動する液晶駆動装置とで構成されている。前記液晶パネル２は、前記ＴＦＴ方式の液晶パネルであり、該液晶パネル２内には、図示しない液晶表示素子と、対向電極（共通電極）３とが設けられている。
【０００３】
一方、前記液晶駆動装置は、それぞれＩＣ（Integrated Circuit）から成るソースドライバＳＤおよびゲートドライバＧＤと、コントローラＣＴＬと、液晶駆動電源ＲＥＧとを備えて構成される。前記ソースドライバＳＤやゲートドライバＧＤは、一般的には、配線の形成されたフィルム上に前記ＩＣチップを搭載した、たとえばＴＣＰ（Tape Carrier Package）を、前記液晶パネル２のＩＴＯ（Indium Tin Oxide；インジウムすず酸化膜）端子上に接続したり、前記ＩＣチップをＡＣＦ（Anisotropic Conductiv Film；異方性導電膜）を介して直接、液晶パネル２のＩＴＯ端子に熱圧着する方法で実装されている。
【０００４】
また、液晶表示装置の小型化に対応するために、先のコントローラＣＴＬ、液晶駆動電源ＲＥＧ、ソースドライバＳＤおよびゲートドライバＧＤが１チップで構成されたり、２ないし３チッブで構成されたりすることもある。図１２では、これらの構成を機能別に分離した形で示している。
【０００５】
前記コントローラＣＴＬは、デジタル化された表示データ（たとえば、赤、緑、青に対応するＲＧＢの各信号）および各種の制御信号をゲートドライバＧＤおよびソースドライバＳＤに出力している。ソースドライバＳＤへの主な制御信号は、水平同期信号、スタートパルス信号およびソースドライバ用クロック信号等があり、図中では参照符Ｓ１で示されている。また、表示データは、参照符Ｄで示されている。一方、ゲートドライバＧＤへの主な制御信号は、垂直同期信号やゲートドライバ用クロック信号等があり、図中では参照符Ｓ２で示されている。なお、図中、各ＩＣを駆動するための電源は省略している。
【０００６】
液晶駆動電源ＲＥＧは、ソースドライバＳＤおよびゲートドライバＧＤへ、液晶パネル２の表示用電圧（本発明に関しては、階調表示電圧を発生させるための参照電圧）を供給するものである。外部から入力された表示データＤは、コントローラＣＴＬを通してデジタル信号でソースドライバＳＤへ入力される。ソースドライバＳＤは、入力された表示データＤを時分割で内部にラッチし、その後、コントローラＣＴＬから入力される前記水平同期信号（ラッチ信号とも言う）ＬＳに同期して、ＤＡ（デジタル／アナログ）変換を行う。得られた表示用のアナログ電圧（階調表示用）は、液晶駆動電圧出力端子から、後述のソース信号ラインＳを介一して、その液晶駆動電圧出力端子に対応した液晶パネル２内の液晶表示素子（図示せず）へ、階調表示電圧としてそれぞれ出力される。
【０００７】
図１３は、前記液晶パネル２の構成を示す等価回路図である。液晶パネル２の一方の基板には、相互に直交する複数のゲート信号ラインＧ１，Ｇ２，…（総称するときには、以下参照符Ｇで示す）およびソース信号ラインＳ１，Ｓ２，…（総称するときには、以下参照符Ｓで示す）によってマトリクス状に区画されて１画素分の領域Ａが形成されており、各領域Ａには、画素電極１１と、その画素電極１１への電圧印加をオン／オフする素子としてのＴＦＴｌ２とが設けられており、前記画素電極１１と他方の基板に形成される前記対向電極３とによって画素容量１４が形成される。
【０００８】
前記ソース信号ラインＳにはソースドライバＳＤから表示対象の画素の明るさに応じた階調表示電圧が与えられ、ゲート信号ラインＧにはゲートドライバＧＤから縦方向に並んだＴＦＴ１２が順次オンするように走査信号が与えられ、オン状態となったＴＦＴ１２を通して、そのドレインに接続された画素電極１１にソース信号ラインＳの階調表示電圧が印加され、対向電極３との間の画素容量１４に蓄積される。これによって、前記画素電極１１と対向電極３との間に介在される液晶の光透過率が変化し、表示が行なわれる。
【０００９】
図１４およぴ図１５は、液晶駆動波形の一例を示す図である。これらの図中で、参照符ＳはソースドライバＳＤからの階調表示電圧の波形、参照符ＧはゲートドライバＧＤからの走査信号の波形を示す。また、参照符３は対向電極３の電位であり、参照符１１は画素電極１１の電圧波形である。液晶材料に印加される電圧は、画素電極１１と対向電極３との電位差であり、図中には斜線で示されている。
【００１０】
たとえば、図１４では、参照符Ｇで示すゲートドライバＧＤからの走査信号がＨｉｇｈレベルのときにＴＦＴｌ２がオンし、参照符Ｓで示すソースドライバＳＤからの階調表示電圧と対向電極３の電位との差が画素電極１１に印加される。この後、参照符Ｇで示すようにゲートドライバＧＤからの走査信号はＬｏｗレベルとなり、ＴＦＴ１２はオフ状態となる。このとき、画素では、画素容量１４があるので、上述の電圧が保持される。
【００１１】
図１５の場合も同様の動作を示すけれども、図１４と図１５とは、液晶材料に印加される電圧が異なる場合を示しており、図１４の場合は、図１５の場合と比べて印加電圧が高い。このように、液晶に印加される電圧をアナログ電圧として変化させることで、液晶の光透過率をアナログ的に変化させ、多階調表示を実現することができる。表示可能な階調数は、液晶に印加されるアナログ電圧の選択肢の数によって決定される。本発明は、特に大きな回路規模および消費電力を占める階調表示用回路の中の基準電圧発生回路や出力回路に関するものであるので、以後、ソースドライバＳＤを中心に液晶駆動装置の説明を行う。
【００１２】
図１６は、前記ソースドライバＳＤとして用いられる典型的な従来技術のソースドライバ２０の構成を示すブロック図である。以下、基本的な部分のみ説明する。前記コントローラＣＴＬから転送されてきた各デジタル表示データＤＲ・ＤＧ・ＤＢ（たとえば各６ビット）は、一旦、入力ラッチ回路２１でラッチされる。なお、各デジタル表示データＤＲ・ＤＧ・ＤＢは、それぞれ赤、緑、青に対応している。
【００１３】
一方、スタートパルス信号ＳＰは、クロック信号ＣＫに同期を取り、シフトレジスタ回路２２内を転送され、該シフトレジスタ回路２２の最終段から次段のソースドライバにスタートパルス信号ＳＰ（カスケード信号Ｓ）として出力される。このシフトレジスタ回路２２の各段からの出力信号に同期して、先の入力ラッチ回路２１にてラッチされたデジタル表示データＤＲ・ＤＧ・ＤＢは、時分割でサンプリングメモリ回路２３内に一旦記憶されるとともに、次段のホールドメモリ回路２４に出力される。
【００１４】
こうして１水平同期期間の表示データがサンプリングメモリ回路２３に記憶されると、ホールドメモリ回路２４は、水平同期信号ＬＳに基づいてサンブリングメモリ回路２３からの出力信号を取込み、次の水平同期信号ＬＳが入力されるまでその表示データを保持する。前記ホールドメモリ回路２４からの出力信号は、レベルシフタ回路２５において、次段のＤＡ変換回路２６の信号レベルに適合させるために昇圧等が行われる。
【００１５】
前記ＤＡ変換回路２６は、前記レベルシフタ回路２５にてレベル変換された表示データに応じて、基準電圧発生回路２７からの複数のアナログ電圧の何れか１つを選択し、液晶パネル２ヘの印加電圧レベル（前記階調表示電圧）を作成する。前記基準電圧発生回路２７は、前述の液晶駆動電源ＲＥＧからの参照電圧ＶＲに基づき、階調表示用の各種アナログ電圧を発生させ、ＤＡ変換回路２６に出力している。階調表示を実現する前記アナログ電圧は、出力回路２８を介して、各液晶駆動電圧出力端子（以下、単に出力端子と記載する）２９から液晶パネル２の各ソース信号ラインＳヘ前記階調表示電圧として出力される。前記出力回路２８は、基本的にはバッファ回路であり、たとえば差動増幅回路を用いたボルテージフォロワ回路で実現される。
【００１６】
次に、本発明に特に関係する基準電圧発生回路２７およびＤＡ変換回路２６について、それらの回路構成をさらに詳細に説明する。図１７は、基準電圧発生回路２７の回路構成を示す図である。ＲＧＢに対するデジタル表示データが、たとえば各々６ビットで構成されている場合、該基準電圧発生回路２７は、それぞれ２6 ＝６４通りの階調表示に対応する６４種類のアナログ電圧Ｖ０〜Ｖ６３を出力する。以下、その具体的構成について説明する。
【００１７】
基準電圧発生回路２７は、抵抗Ｒ０〜Ｒ７が直列に接続された抵抗分割回路で構成されており、最も簡単な構成となっている。前記抵抗Ｒ０〜Ｒ７のそれぞれは、８本の抵抗素子が直列に接続されて構成されている。すなわち、たとえば抵抗Ｒ０について説明すれば、図１８に示すように、８本の抵抗素子Ｒ０１，Ｒ０２，…，Ｒ０８が直列に接続されて該抵抗Ｒ０が構成されている。また、残余の抵抗Ｒ１〜Ｒ７についても、この抵抗Ｒ０と同様の構成である。したがって、基準電圧発生回路２７は、合計６４本の抵抗素子が直列に接続されて構成されていることになる。
【００１８】
また、この基準電圧発生回路２７は、９種類の参照電圧Ｖ’０，Ｖ’８，…，Ｖ’５６，Ｖ’６４に対応する９つの電圧入力端子を含んでいる。そして、抵抗Ｒ０の一端に前記参照電圧Ｖ’６４に対応する電圧入力端子が接続され、抵抗Ｒ０の他端、すなわち抵抗Ｒ０とＲ１との接続点に参照電圧Ｖ’５６に対応する中間調電圧入力端子が接続されている。以下、隣り合う各抵抗Ｒ１・Ｒ２，Ｒ２・Ｒ３，…，Ｒ６・Ｒ７の接続点に、参照電圧Ｖ’４８，Ｖ’４０，…，Ｖ’８にそれぞれ対応する中間調電圧入力端子が接続されている。抵抗Ｒ７の他端には、前記参照電圧Ｖ’０に対応する電圧入力端子が接続される。
【００１９】
このような構成によって、前記６４本の抵抗素子の隣り合う２抵抗素子間から、前記６４種類のアナログ電圧Ｖ１〜Ｖ６３を取出すことが可能となる。そして、これらのアナログ電圧Ｖｌ〜Ｖ６３と参照電圧Ｖ’０からそのまま得られるアナログ電圧Ｖ０とを合わせて、計６４通りの階調表示用のアナログ電圧Ｖ０〜Ｖ６３を得ることができる。このように基準電圧発生回路２７が抵抗分割回路で構成される場合、前記アナログ電圧Ｖ０〜Ｖ６３は、抵抗比によって決定されることになる。このアナログ電圧Ｖ０〜Ｖ６３は、基準電圧発生回路２７からＤＡ変換回路２６に入力される。
【００２０】
なお、一般的には、両端の参照電圧Ｖ’０とＶ’６４との２電圧は常に電圧入力端子に入力される一方、残る参照電圧Ｖ’８〜Ｖ’５６に対応する７つの中間調電圧入力端子は微調整用として使用され、実際はこれらの端子に電圧が入力されない場合もある。
【００２１】
次に、ＤＡ変換回路２６について説明する。図１９は、ＤＡ変換回路２６の一構成例を示す図である。なお、図中、参照符２８は、前述の出力回路２８の構成（ボルテージフォロワ回路）を示している。このＤＡ変換回路２６は、大略的に、６ビットのデジタル信号Ｂｉｔ０〜Ｂｉｔ５から成る表示データに応じて、前述のようにして入力された６４通りのアナログ電圧Ｖ０〜Ｖ６３のうちの何れか１つが選択されて出力されるように、ＭＯＳトランジスタやトランスミッションゲートがアナログスイッチとして配置されて構成されている。すなわち、６ビットのデジタル信号Ｂｉｔ０〜Ｂｉｔ５から成る表示データのそれぞれに応じて、前記アナログスイッチがＯＮ／ＯＦＦされる。
【００２２】
以下に、この様子を詳細に説明する。前記６ビットのデジタル信号Ｂｉｔ０〜Ｂｉｔ５は、Ｂｉｔ０がＬＳＢ（the Least Significant Bit ）であり、Ｂｉｔ５がＭＳＢ（the Most Significant Bit）である。前記アナログスイッチは、２個で１組となり、スイッチ対を構成している。前記ＬＳＢのデジタル信号Ｂｉｔ０には３２組のスイッチ対（６４個のアナログスイッチＳＷ０）が対応しており、デジタル信号Ｂｉｔ１には１６組のスイッチ対（３２個のアナログスイッチＳＷ１）が対応している。以下、Ｂｉｔ毎に個数が２分の１になり、前記ＭＳＢのデジタル信号Ｂｉｔ５には１組のスイッチ対（２個のアナログスイッチＳＷ５）のみが対応することになる。したがって、合計で、３２＋１６＋８＋４＋２＋１＝６３組のスイッチ対（１２６個のアナログスイッチ）が存在する。
【００２３】
前記ＬＳＢのデジタル信号Ｂｉｔ０に対応するアナログスイッチＳＷ０の一端は、それぞれ前記アナログ電圧Ｖ０〜Ｖ６３が入力される端子となっている。そして、そのアナログスイッチＳＷ０の他端は２個１組で接続されるとともに、さらに次のデジタル信号Ｂｉｔ１に対応するアナログスイッチＳＷ１の一端に接続されている。以降、この構成が前記ＭＳＢのデジタル信号Ｂｉｔ５に対応するアナログスイッチＳＷ５まで繰返され、最終的にはこのアナログスイッチＳＷ５の他端から１本の端子が引出され、出力回路２８に接続されている。前記アナログスイッチＳＷ０〜ＳＷ５は、６ビットのデジタル信号Ｂｉｔ０〜Ｂｉｔ５によって、以下のように制御される。
【００２４】
各アナログスイッチＳＷ０〜ＳＷ５は、対応するＢｉｔのデジタル信号Ｂｉｔ０〜Ｂｉｔ５が、「０」（Ｌｏｗレベル）のときは各２個１組のアナログスイッチの一方（図１９では下側のアナログスイッチ）がＯＮし、「１」（Ｈｉｇｈレベル）のときは他方のアナログスイッチ（図１９では上側のアナログスイッチ）がＯＮする。図１９は、デジタル信号Ｂｉｔ０〜Ｂｉｔ５による表示データが「１１１１１１」の場合を表しており、総てのスイッチ対において上側のアナログスイッチがＯＮ、下側のアナログスイッチがＯＦＦとなっている。この場合、ＤＡ変換回路２６からは、アナログ電圧Ｖ６３が出力回路２８に出力される。同様に、たとえば前記表示データが「１１１１１０」の場合、ＤＡ変換回路２６からは、アナログ電圧Ｖ６２が出力回路２８へ出力され、前記表示データが「０００００１」の場合、アナログ電圧Ｖ１が出力され、表示データが「００００００」であれぱ、アナログ電圧Ｖ０が出力される。このようにして、デジタルの表示データに応じて、階調表示用のアナログ電圧Ｖ０〜Ｖ６３の中から何れか１つが選択され、階調表示が実現される。
【００２５】
そして、実際の液晶表示装置における階調表示では、液晶材料の光透過特性と人の視覚特性との違いを調整し、自然な階調表示を行なうためにγ補正を行なっている。このγ補正としては、基準電圧発生回路２７における階調表示用のアナログ電圧Ｖ０〜Ｖ６３を発生させるのに、前記抵抗素子を等分に分割するのではなく、非等分に分割する方法が一般的である。
【００２６】
図２０は、γ補正を行なった場合における６ビットのデジタル信号Ｂｉｔ０〜Ｂｉｔ５から成る表示データと、液晶駆動出力電圧（前記アナログ電圧Ｖ０〜Ｖ６３）との関係を示すグラフである。この図２０に示すように、表示データに対するアナログ電圧値に折れ線特性を持たせている。この特性を実現するために、図１７に示す基準電圧発生回路２７では、各抵抗Ｒ０〜Ｒ７の抵抗値の比を、前記のγ補正を実現できるような比に設定することで、γ補正を実現している。
【００２７】
【発明が解決しようとする課題】
上述のように構成される従来のソースドライバ２０において、前述の基準電圧発生回路２７は、通常１つのソースドライバＳＤのＩＣチップに１つ設置され、共有化して使用される。一方、ＤＡ変換回路２６および出力回路２８は、各出力端子２９に対応して設けられている。また、カラー表示の場合は、出力端子２９は各色に対応して使用されるので、その場合は、ＤＡ変換回路２６および出力回路２８は、画素毎で、かつ、１色につき各々１回路が使用される。すなわち、液晶パネル２の長辺方向の画素数がＮであれぱ、赤、緑、青の各色用の出力端子２９を、それぞれＲ、Ｇ、Ｂに添え字ｎ（ｎ＝１，２，…，Ｎ）を付して表せば、Ｒ１，Ｇｌ，Ｂｌ；Ｒ２，Ｇ２，Ｂ２；…；ＲＮ，ＧＮ，ＢＮとなり、３Ｎ個のＤＡ変換回路２６および出力回路２８が必要になる。
【００２８】
特に、前述のように差動増幅回路から成り、アナログ回路である出力回路２８は、レイアウト面積が大きく、かつ消費電力も大きく、それを各出力端子２９毎に設けることは、特に小型化や低消費電力化が求められる携帯機器用の表示装置には大きな問題となる。
【００２９】
一方、負荷となる画素容量１４や基準電圧発生回路２７の抵抗Ｒ０〜Ｒ７による出力インピーダンスにもよるけれども、たとえば５６０×２４０画素程度の中小型用液晶パネルにおいては、前記出力回路２８を省略し、各抵抗Ｒ０〜Ｒ７から、アナログスイッチＳＷ０〜ＳＷ５を経由して、直接液晶駆動電圧を出力することも可能であるけれども、液晶駆動電源ＲＥＧも低消費電力化されており、前記参照電圧ＶＲを該基準電圧発生回路２７へ出力する各電圧線の電流供給能力は小さく、出力回路２８を省略すると、各抵抗Ｒ０〜Ｒ７の抵抗値を適切に設定しても、液晶駆動電圧波形の立上り・立下りが鈍ったり、画素容量１４への充放電による電圧変動によって前記γ特性にずれが生じるという問題がある。
【００３０】
本発明の目的は、表示画像に対応した正確な階調表示電圧を低消費電力で発生することができる表示駆動装置およびそれを用いる液晶表示装置を提供することである。
【００３１】
【課題を解決するための手段】
本発明の表示駆動装置は、電源から入力されるＤＣの参照電圧を細分化して、複数の階調表示用のアナログ電圧を発生する基準電圧発生手段と、前記複数の階調表示用のアナログ電圧から、入力された表示データに対応した電圧を選択して、表示素子を駆動する階調表示電圧として表示パネルへ出力する選択手段とを備えて構成される表示駆動装置において、前記基準電圧発生手段は、前記参照電圧を細分化する分割手段と、前記分割手段の少なくとも両端から、前記電源からとは異なる経路でＤＣ電流を供給するバイパス手段とを含んで構成されることを特徴とする。
【００３２】
上記の構成によれば、液晶駆動装置のソースドライバなどとして実現され、基準電圧発生手段で、電源から入力されるＤＣの参照電圧（たとえば、任意の＋電位とＧＮＤ電位）を、抵抗分割などで細分化して、多数の階調表示用のアナログ電圧（たとえば、Ｖ６３〜Ｖ０）を発生し、選択手段で、そのアナログ電圧の内、入力された表示データに対応した電圧を選択して、ボルテージフォロア回路などの出力回路を介することなく、直接表示パネルへ出力するようにした表示駆動装置において、前記分割手段の少なくとも両端から、すなわち分割手段に最大の参照電圧を印加する端子間に、バイパス手段によって、前記電源からとは異なる経路でＤＣ電流を供給する。
【００３３】
したがって、前記出力回路を省略して表示素子を駆動する階調表示電圧を直接表示パネルへ出力するようにしても、該表示駆動装置側自身で、電源から供給される参照電圧の電流供給能力を補うことが可能となり、前記階調表示電圧波形の立上り・立下りの鈍りや画素容量への充放電による電圧変動を抑えることができる。
【００３４】
これによって、γ特性のずれ等を抑えた正確な階調表示電圧を確保することができる。また、該表示駆動装置のＩＣ内に基準電圧発生手段を１つ設け、その分割手段によるバイパスＤＣ電流の消費電力の増加分は、各出力端子毎に出力回路を設けるよりも充分小さく、低消費電力化することができる。さらにまた、回路スペースも、大幅に縮小することができる。
【００３５】
さらにまた、電源や従来の基準電圧発生手段を設計した後、バイパス手段を付加して本発明の基準電圧発生手段とすることで、当初の仕様以上の大きな画素容量の表示パネルへの適用が可能となり、表示パネルの仕様変更が容易にできるようになり、また表示駆動装置ＩＣの適用範囲を拡大し、量産効果によるＩＣの低コスト化を図ることもできる。
【００３６】
また、表示駆動装置内で、選択手段の近くで電源を補強することによって、前記電源と該表示駆動装置との間の前記参照電圧のための電源配線の抵抗を高くすることができ、これらの間でのノイズの侵入を低減でき、表示品位を向上することもできる。
【００３７】
なお、中間階調などの前記分割手段の両端以外のアナログ電圧が多用される場合には、その電圧に対してもバイパス手段からＤＣ電流を供給するとうにしてもよい。
【００３８】
また、本発明の表示駆動装置では、前記基準電圧発生手段のバイパス手段は、前記ＤＣ電流を供給するパワー素子と、極性反転信号に応じて前記パワー素子をＯＮ／ＯＦＦ制御し、前記アナログ電圧として、正極性の電圧と負極性の電圧とを切換え出力させる論理回路とを内蔵することを特徴とする。
【００３９】
上記の構成によれば、対向交流駆動にも対応することができる。
【００４０】
さらにまた、本発明の表示駆動装置では、前記基準電圧発生手段のバイパス手段は、前記ＤＣ電流を供給するパワー素子と、カウンタを含み、予め定める期間だけ前記ＤＣ電流を供給するように前記パワー素子をＯＮ／ＯＦＦ制御する論理回路とを内蔵することを特徴とする。
【００４１】
上記の構成によれば、表示素子への充放電は、新たな出力信号ラインへの階調表示電圧の印加が開始されてからの初期の一定期間に急激に行われ、前記表示素子への充放電が終了してしまった後は、大きな電流が流れることはなく、単に各出力信号ラインに印加される階調表示電圧を保持するだけでよいことを利用し、ＤＣ電流の供給を前記予め定める期間だけとすることで、消費電力を、一層低減することができる。
【００４２】
また、前記カウンタを常時リセットする信号を入力することで、前記バイパス回路の動作を停止させ、従来の表示駆動装置と同様の動作とさせることができる。これによって、前記表示パネルとして、前記バイパス手段を動作させる比較的大型のパネルと、バイパス手段の動作を停止させる比較的小型のパネルとに、同じ表示駆動装置を使用することができ、量産効果による低コスト化を図ることができる。
【００４３】
また、本発明の表示駆動装置では、前記基準電圧発生手段は、プリチャージおよびディスチャージのＤＣ電流を供給するパワー素子と、予め定める期間だけ前記プリチャージおよびディスチャージのＤＣ電流を供給するように前記パワー素子をＯＮ／ＯＦＦ制御する論理回路とを内蔵するプリチャージ／ディスチャージ手段を備えることを特徴とする。
【００４４】
上記の構成によれば、対向電極の交流信号が切換わる時に、画素容量や信号線等の負荷容量を介して、前記階調表示電圧出力に突き下げ、突き上げが発生しても、プリチャージ動作またはディスチャージ動作させることで、前記負荷容量の充放電に要する時間が長引いてしまうことを回避し、実用上問題ない表示を行うことができる。これによって、前記負荷容量による階調表示電圧出力の突き下げ、突き上げを抑え、一層良好な表示品位を確保することができる。
【００４５】
さらにまた、本発明の表示駆動装置では、前記プリチャージ／ディスチャージ手段の論理回路は、参照電圧の振幅の最大値または最小値に応じて、前記プリチャージ動作とディスチャージ動作との切換えを行うことを特徴とする。
【００４６】
上記の構成によれば、前記突き下げと突き上げとの内、振幅レベルの大きい側を効果的に抑制することができる。
【００４７】
また、本発明の液晶駆動装置は、上記の何れかの表示駆動装置を用いることを特徴とする。
【００４８】
【発明の実施の形態】
本発明の実施の一形態について、図１〜図５および前記図１２に基づいて説明すれば、以下のとおりである。
【００４９】
図１は、本発明の実施の一形態の表示駆動装置であるソースドライバ３０の構成を示すブロック図である。このソースドライバ３０は、前述の図１２で示すソースドライバＳＤとして用いられ、液晶表示装置全体の構成も図１２の液晶表示装置と同様であり、液晶パネル２の構成および液晶駆動波形についても、図１３ならびに図１４および図１５と同様であり、ここではその説明を省略する。
【００５０】
このソースドライバ３０は、入力ラッチ回路３１と、シフトレジスタ回路３２と、サンプリングメモリ回路３３と、ホールドメモリ回路３４と、レベルシフタ回路３５と、ＤＡ変換回路３６と、基準電圧発生回路３７とを備えて構成されている。前記図１２で示すコントローラＣＴＬから転送されてきた各デジタル表示データＤＲ・ＤＧ・ＤＢ（たとえば各６ビット）は、一旦、入力ラッチ回路３１でラッチされる。
【００５１】
一方、スタートパルス信号ＳＰは、クロック信号ＣＫに同期を取り、シフトレジスタ回路３２内を転送され、該シフトレジスタ回路３２の最終段から次段のソースドライバにスタートパルス信号ＳＰ（カスケード信号Ｓ）として出力される。このシフトレジスタ回路３２の各段からの出力信号に同期して、先の入力ラッチ回路３１にてラッチされたデジタル表示データＤＲ・ＤＧ・ＤＢは、時分割でサンプリングメモリ回路３３内に一旦記憶されるとともに、次段のホールドメモリ回路３４に出力される。
【００５２】
こうして１水平同期期間の表示データがサンプリングメモリ回路３３に記憶されると、ホールドメモリ回路３４は、水平同期信号ＬＳに基づいてサンブリングメモリ回路３３からの出力信号を取込み、次の水平同期信号ＬＳが入力されるまでその表示データを保持する。前記ホールドメモリ回路３４からの出力信号は、レベルシフタ回路３５において、次段のＤＡ変換回路３６の信号レベルに適合させるために昇圧等が行われる。
【００５３】
前記ＤＡ変換回路３６は、前記レベルシフタ回路３５にてレベル変換された表示データに応じて、基準電圧発生回路３７からの複数のアナログ電圧の何れか１つを選択し、前記図１２で示す液晶パネル２ヘの印加電圧レベル（前記階調表示電圧）を作成する。前記基準電圧発生回路３７は、前述の液晶駆動電源ＲＥＧからの参照電圧ＶＲに基づき、階調表示用の各種アナログ電圧を発生させ、ＤＡ変換回路３６に出力している。階調表示を実現する前記アナログ電圧は、ＤＡ変換回路３６から出力端子３９を介して、液晶パネル２の各ソース信号ラインＳヘ前記階調表示電圧として出力される。すなわち、このソースドライバ３０には、従来のソースドライバ２０に設けられていた出力回路２８が設けられておらず、ＤＡ変換回路３６からの出力が直接液晶パネル２に供給される構成となっている。そして、基準電圧発生回路３７が従来の基準電圧発生回路２７とは異なっている。この点を以下に詳述する。
【００５４】
図２は、基準電圧発生回路３７の回路構成を示す図である。この基準電圧発生回路３７は、大略的に、ＲＧＢに対するデジタル表示データが、たとえば各々６ビットで構成されている場合、それぞれ２6 ＝６４通りの階調表示に対応する６４種類のアナログ電圧Ｖ０〜Ｖ６３を出力する。この基準電圧発生回路３７も、前述の基準電圧発生回路２７と同様に、抵抗Ｒ０〜Ｒ７が直列に接続された抵抗分割回路４０を備えて構成されている。前記抵抗Ｒ０〜Ｒ７のそれぞれは、たとえば前記図１８で示すように、８本の抵抗素子が直列に接続されて構成されている。
【００５５】
また、この基準電圧発生回路３７は、９種類の参照電圧Ｖ’０，Ｖ’８，…，Ｖ’５６，Ｖ’６４に対応する９つの電圧入力端子Ｔ０，Ｔ８，…，Ｔ５６，Ｔ６４を備えている。そして、抵抗Ｒ０の一端に前記参照電圧Ｖ’６４に対応する電圧入力端子Ｔ６４が接続され、抵抗Ｒ０の他端、すなわち抵抗Ｒ０とＲ１との接続点に参照電圧Ｖ’５６に対応する中間調電圧入力端子Ｔ５６が接続されている。以下、隣り合う各抵抗Ｒ１・Ｒ２，Ｒ２・Ｒ３，…，Ｒ６・Ｒ７の接続点に、参照電圧Ｖ’４８，Ｖ’４０，…，Ｖ’８にそれぞれ対応する中間調電圧入力端子Ｔ４８〜Ｔ８が接続されている。抵抗Ｒ７の他端は前記参照電圧Ｖ’０に対応する電圧入力端子Ｔ０に接続される。
【００５６】
このような構成によって、前記６４本の抵抗素子の隣り合う２抵抗素子間から、前記６４種類のアナログ電圧Ｖ１〜Ｖ６３を取出すことが可能となる。そして、これらのアナログ電圧Ｖｌ〜Ｖ６３と参照電圧Ｖ’０からそのまま得られるアナログ電圧Ｖ０とを合わせて、計６４通りの階調表示用のアナログ電圧Ｖ０〜Ｖ６３を得ることができる。このように基準電圧発生回路３７が抵抗分割回路で構成される場合、前記アナログ電圧Ｖ０〜Ｖ６３は、抵抗比によって決定されることになる。
【００５７】
前記抵抗Ｒ０〜Ｒ７の抵抗比は、実際の液晶表示装置における液晶材料の光透過特性と人の視覚特性との違いを考慮して、自然な階調表示を行なうためのγ補正を実現できるような比に設定されている。つまり、階調表示電圧が階調表示用データに応じて、図２０で示した折れ線特性を持つように設定されている。したがって、内部抵抗の等分分割ではなく、非等分分割によって前記抵抗分割回路４０は構成されている。前記アナログ電圧Ｖ０〜Ｖ６３は、基準電圧発生回路３７からＤＡ変換回路３６に入力される。
【００５８】
図３は、前記基準電圧発生回路３７からＤＡ変換回路３６の構成を示す電気回路図である。ＤＡ変換回路３６の構成は、図１９で示す従来のＤＡ変換回路２６の構成と同じである。また、各出力端子３９毎に設けられていた出力回路２８が省略されている。したがって、ＤＡ変換回路３６によってデジタル信号Ｂｉｔ０〜Ｂｉｔ５から成る表示データに応じて選択された階調表示用のアナログ電圧Ｖ０〜Ｖ６３は、そのまま液晶駆動電圧として液晶パネル２のソース信号ラインＳに印加される。次に、基準電圧発生回路３７における本発明の特徴部分について詳細に説明する。
【００５９】
注目すべきは、この基準電圧発生回路３７では、前記抵抗Ｒ０〜Ｒ７から成る抵抗分割回路４０とともに、バイパス回路４１が設けられていることである。バイパス回路４１は、前述の抵抗分割回路４０において、前記液晶駆動電源ＲＥＧから少なくとも最大電圧が印加されることになる電圧入力端子Ｔ６４−Ｔ０間に、前記液晶駆動電源ＲＥＧからのＤＣ電流を補強するようにバイパス経路でＤＣ電流を供給するものである。このため、前記コントローラＣＴＬなどの外部からの制御信号ＴＥＳＴが入力される入力端子ＴＴおよび極性反転信号ＰＯＲが入力される入力端子ＴＰを有するとともに、ＤＣ電流を供給する後述するパワー素子と、前記制御信号ＴＥＳＴおよびおよび極性反転信号ＰＯＲに基づいて前記パワー素子を制御する論理回路とが内蔵されて構成されている。
【００６０】
図４は、バイパス回路４１の構成を示すブロック図である。前記パワー素子は、ハイレベルの電源ＶＬＳにソース電極がそれぞれ接続されるＰチャネルＭＯＳトランジスタＰ１，Ｐ２と、ソース電極がＧＮＤにそれぞれ接続されるＮチャネルＭＯＳトランジスタＮ１，Ｎ２と、前記ＰチャネルＭＯＳトランジスタＰ１とＮチャネルＭＯＳトランジスタＮ１とのドレイン電極を、それぞれ前記９種類の参照電圧の内、Ｖ’６４（すなわち、前記電圧入力端子Ｔ６４）に接続する過電流防止用の保護抵抗素子ｒ１，ｒ２と、前記ＰチャネルＭＯＳトランジスタＰ２とＮチャネルＭＯＳトランジスタＮ２とのドレイン電極を、それぞれ参照電圧Ｖ’０（すなわち、前記電圧入力端子Ｔ０）に接続する過電流防止用の保護抵抗素子ｒ３，ｒ４とを備えて構成される。
【００６１】
前記論理回路は、ＮＡＮＤ回路５１，５２、ＮＯＲ回路５３，５４およびインバータ回路５５，５６を備えて構成される。前記ＰチャネルＭＯＳトランジスタＰ１，Ｐ２のゲート電極には、ＮＡＮＤ回路５１，５２の出力端子がそれぞれ接続され、ＮチャネルＭＯＳトランジスタＮ１，Ｎ２のゲート電極には、ＮＯＲ回路５３，５４の出力端子がそれぞれ接続される。これらのＮＡＮＤ回路５１，５２およびＮＯＲ回路５３，５４には、インバータ回路５５，５６を介して、前記制御信号ＴＥＳＴおよび極性反転信号ＰＯＲがそれぞれ与えられ、次の表１に示すような真理値表に従う論理動作を行なう。
【００６２】
【表１】
0003795361.tif 000002
【００６３】
すなわち、先ず制御信号ＴＥＳＴが“Ｌｏｗ”、極性反転信号ＰＯＲが“Ｈｉｇｈ”の場合に関し説明する。制御信号ＴＥＳＴのインバータ回路５５の反転によってＮＡＮＤ回路５１一方の入力が“Ｈｉｇｈ”となり、他方の入力が極性反転信号ＰＯＲによって“Ｈｉｇｈ”となり、該ＮＡＮＤ回路５１の出力は“Ｌｏｗ”となってＰチャネルＭＯＳトランジスタＰ１が“ＯＮ”するとともに、極性反転信号ＰＯＲのインバータ回路５６の反転によってＮＯＲ回路５３の一方の入力が“Ｌｏｗ”となり、他方の入力が制御信号ＴＥＳＴによって“Ｌｏｗ”となり、該ＮＯＲ回路５３の出力は“Ｈｉｇｈ”となってＮチャネルＭＯＳトランジスタＮ２も“ＯＮ”する。このとき、ＮＡＮＤ回路５２の入力の一方が“Ｈｉｇｈ”、他方は“Ｌｏｗ”となり、該ＮＡＮＤ回路５２の出力が“Ｈｉｇｈ”となってＰチャネルＭＯＳトランジスタＰ２が“ＯＦＦ”するとともに、ＮＯＲ回路５４の入力も一方が“Ｈｉｇｈ”、他方は“Ｌｏｗ”となり、該ＮＯＲ回路５４の出力は“Ｌｏｗ”となってＮチャネルＭＯＳトランジスタＮ１も“ＯＦＦ”する。
【００６４】
したがって、前記抵抗分割回路４０を構成する抵抗Ｒ０へ、前記液晶駆動電源ＲＥＧからとは別のバイパス経路となるハイレベルの電源ＶＬＳからＰチャネルＭＯＳトランジスタＰ１および抵抗素子ｒ１を介してＤＣ電流が流れ、抵抗Ｒ７からの電流は、抵抗素子ｒ４およびＮチャネルＭＯＳトランジスタＮ２を介してＧＮＤへ流れ、前記液晶駆動電源ＲＥＧから供給される参照電圧Ｖ’６４〜Ｖ’０の電流供給能力をソースドライバ３０側自身で補うことが可能となる。その結果、安定した参照電圧Ｖ’０〜Ｖ’６４が供給できるので、良好な表示品位を確保することが可能となる。
【００６５】
次に、制御信号ＴＥＳＴが“Ｌｏｗ”のままで、極性反転信号ＰＯＲが“Ｌｏｗ”の場合に関し説明する。この場合、ＮＡＮＤ回路５１の入力が“Ｈｉｇｈ”と“Ｌｏｗ”となり、該ＮＡＮＤ回路５１の出力が“Ｈｉｇｈ”となってＰチャネルＭＯＳトランジスタＰ１が“ＯＦＦ”するとともに、ＮＯＲ回路５３の入力も“Ｈｉｇｈ”と“Ｌｏｗ”となり、該ＮＯＲ回路５３の出力が“Ｌｏｗ”となってＮチャネルＭＯＳトランジスタＮ２も“ＯＦＦ”する。これに対して、ＮＡＮＤ回路５２の入力が“Ｈｉｇｈ”と“Ｈｉｇｈ”となり、該ＮＡＮＤ回路５２の出力が“Ｌｏｗ”となってＰチャネルＭＯＳトランジスタＰ２が“ＯＮ”するとともに、ＮＯＲ回路５４の入力は“Ｌｏｗ”と“Ｌｏｗ”となり、該ＮＯＲ回路５４の出力が“Ｈｉｇｈ”となってＮチャネルＭＯＳトランジスタＮ１も“ＯＮ”する。
【００６６】
したがって、前記抵抗分割回路４０を構成する抵抗Ｒ７へ、前記バイパス経路となるハイレベルの電源ＶＬＳからＰチャネルＭＯＳトランジスタＰ２および抵抗素子ｒ３を介してＤＣ電流が流れ、抵抗Ｒ０からの電流は、抵抗素子ｒ２およびＮチャネルＭＯＳトランジスタＮ１を介してＧＮＤへ流れ、前記液晶駆動電源ＲＥＧから供給される参照電圧Ｖ’６４〜Ｖ’０の電流供給能力をソースドライバ３０側自身で補うことが可能となる。
【００６７】
またこの場合には、参照電圧Ｖ’０〜Ｖ’６４の極性が入替わるとになる。したがって、参照電圧Ｖ’６４側がハイレベルである場合を正極性とすると、この参照電圧Ｖ’０側がハイレベルである場合は負極性となる。こうして、極性反転信号ＰＯＲに応じて、自動的に上記論理回路が階調表示用のアナログ電圧Ｖ０〜Ｖ６３の極性を切換えることができる。なお、この極性反転信号ＰＯＲに代えて、たとえば参照電圧Ｖ’０やＶ’６４の電圧を検知して、論理回路が前記アナログ電圧Ｖ０〜Ｖ６３の極性を切換えるようにしてもよい。
【００６８】
これに対して、制御信号ＴＥＳＴが“Ｈｉｇｈ”になると、前記極性反転信号ＰＯＲの論理に係わらず、ＮＡＮＤ回路５１，５２が“Ｈｉｇｈ”を出力してＰチャネルＭＯＳトランジスタＰ１，Ｐ２は“ＯＦＦ”し、ＮＯＲ回路５３，５４が“Ｌｏｗ”を出力してＮチャネルＭＯＳトランジスタＮ１，Ｎ２も“ＯＦＦして、従来技術と同様に、入力される複数の参照電圧Ｖ’０〜Ｖ’６４から、ｎビットの表示データに対応した２n 種類（ここでは６４種類）の階調表示用電圧Ｖ０〜Ｖ６３を出力する。
【００６９】
図５は、上述のように構成されるソースドライバ３０の動作を説明するための波形図である。制御信号ＴＥＳＴは、テスト時に使用される信号であり、通常表示時には、“Ｈｉｇｈ”または“Ｌｏｗ”の固定であり、図４および表１の論理では“Ｌｏｗ”であるので、この図５でも“Ｌｏｗ”としている。極性反転信号ＰＯＲは、交流駆動を行う信号であり、この図５ではライン反転駆動を例にしており、したがって水平同期信号ＬＳの立上がりで、対向電極３の電位とともに反転している。ライン反転駆動法の詳細な説明は、たとえば特開平１１−２７２２４３号公報等で開示されている。
【００７０】
一方、参照電圧Ｖ’０，Ｖ’６４は、奇数番目のラインの期間Ｗ１，Ｗ３，…では参照電圧Ｖ’６４がハイレベルのＶＬＳとなり、参照電圧Ｖ’０がローレベルのＧＮＤとなり、偶数番目のラインの期間Ｗ２，…では参照電圧Ｖ’０がハイレベルのＶＬＳとなり、参照電圧Ｖ’６４がローレベルのＧＮＤとなる。
【００７１】
このように本発明に係るソースドライバ３０では、抵抗分割回路４０を構成する直列抵抗Ｒ０〜Ｒ７の少なくとも両端から、液晶駆動電源ＲＥＧからとは別のバイパス経路でＤＣ電流を流すことによって、出力回路を省略し、前記抵抗Ｒ０〜Ｒ７からアナログスイッチＳＷ０〜ＳＷ５を経由して、直接液晶駆動用の階調表示電圧を出力するようにしても、該ソースドライバ３０側自身で、液晶駆動電源ＲＥＧから供給される参照電圧Ｖ’６４〜Ｖ’０の電流供給能力を補うことが可能となり、前記階調表示電圧波形の立上り・立下りの鈍りや画素容量１４への充放電による電圧変動を抑えることができる。
【００７２】
そして、前記抵抗Ｒ０〜Ｒ７の抵抗値を小さくする程、前記ＤＣ電流が増加して、アナログ電圧Ｖ６３〜Ｖ０の変動幅が小さくなる一方、消費電力が増加するので、該抵抗値を、アナログ電圧Ｖ６３〜Ｖ０の許容変動幅および消費電力との兼ね合いで設定することによって、前記γ特性のずれ等を抑えた正確な階調表示電圧を確保することができる。また、ソースドライバ３０のＩＣ内に基準電圧発生回路３７を１つ設け、それによるバイパスＤＣ電流による抵抗Ｒ０〜Ｒ７の消費電力の増加分は、各出力端子３９毎に出力回路を設けるよりも充分小さく、低消費電力化することができる。さらにまた、回路スペースも、大幅に縮小することができる。
【００７３】
さらにまた、液晶駆動電源ＲＥＧや従来の基準電圧発生回路２７を設計した後、バイパス回路４１を付加して本発明の基準電圧発生回路３７とすることで、当初の仕様以上の大きな画素容量の液晶パネルへの適用が可能となり、液晶パネルの仕様変更が容易にできるようになり、またソースドライバＩＣの適用範囲を拡大し、量産効果によるＩＣの低コスト化を図ることもできる。
【００７４】
また、ソースドライバ３０内で、ＤＡ変換回路３６の近くで電源を補強することによって、前記液晶駆動電源ＲＥＧと該ソースドライバ３０との間の前記参照電圧ＶＲのための電源配線の抵抗を高くすることができ、これらの間でのノイズの侵入を低減でき、表示品位を向上することもできる。
【００７５】
本発明の実施の他の形態について、図６および図７に基づいて説明すれば、以下のとおりである。
【００７６】
図６は、本発明の実施の他の形態のソースドライバにおけるバイパス回路４１ａの構成を示すブロック図である。このバイパス回路４１ａは、前述のバイパス回路４１に類似し、対応する部分には同一の参照符号を付して、その説明を省略する。注目すべきは、このバイパス回路４１ａでは、前記ＮＡＮＤ回路５１，５２およびＮＯＲ回路５３，５４にそれぞれ対応するＮＡＮＤ回路５１ａ，５２ａおよびＮＯＲ回路５３ａ，５４ａが３入力になっているとともに、カウンタ５７およびインバータ回路５８を備えていることである。
【００７７】
前記カウンタ５７は、水平同期信号ＬＳで一旦初期化された後、クロック信号ＣＫに基づいて前記ＤＣ電流を供給する期間を作成する。カウンタ５７の出力は、ＮＡＮＤ回路５１ａ，５２ａのもう１つの入力に与えられるとともに、インバータ回路５８で反転された後、ＮＯＲ回路５３ａ，５４ａのもう１つの入力に与えられる。
【００７８】
図７は、各部の動作を示す波形図である。前記カウンタ５７は、水平同期信号ＬＳでリセットされると“Ｈｉｇｈ”を出力し、クロック信号ＣＫを予め定める値（図７では、２パルス分）までカウントすると“Ｌｏｗ”を出力する。したがって、カウンタ５７の出力が“Ｈｉｇｈ”となる１水平期間の前半の所定期間は、前述と同様の動作を行って、制御信号ＴＥＳＴが“Ｌｏｗ”であると、ＭＯＳトランジスタＰ１，Ｎ２またはＰ２，Ｎ１の何れかの組合わせが“ＯＮ”して、参照電圧Ｖ’６４−Ｖ’０間にＤＣ電流を供給する。これに対して、カウンタ５７の出力が“Ｌｏｗ”となる１水平期間の後半の所定期間は、ＭＯＳトランジスタＰ１，Ｎ２およびＰ２，Ｎ１が共に“ＯＦＦ”して、ＤＣ電流の供給が停止して、前記液晶駆動電源ＲＥＧから供給される電圧のみで参照電圧Ｖ’６４〜Ｖ’０が出力される。
【００７９】
これは、画素容量１４への充放電は、新たなラインへの階調表示電圧の印加が開始される前記水平同期信号ＬＳが入力されてから初期の一定期間に急激に行われるためであり、画素容量１４への充放電が終了してしまった後は、大きな電流が流れることはなく、単に各ソース信号ラインＳに印加される階調表示電圧を保持するだけでよいことを利用している。これによって、消費電力を、一層低減することができる。
【００８０】
さらにまた、前記カウンタ５７をリセットする水平同期信号ＬＳの代わりに、“Ｈｉｇｈ”固定の信号を入力すると、該カウンタ５７は常時リセット状態となり、その出力は“Ｌｏｗ”に固定される。この場合、バイパス回路４１ａは動作を停止し、従来のソースドライバ２０と同様の動作とさせることができる。
【００８１】
これによって、制御信号ＴＥＳＴおよび極性反転信号ＰＯＲとして、適宜“Ｈｉｇｈ”にプルアップまたは“Ｌｏｗ”にプルダウンした入力を与えることでることで、前記液晶パネル２として、バイパス回路４１ａを動作させる比較的大型のパネルと、バイパス回路４１ａの動作を停止させる比較的小型のパネルとに、同じソースドライバを使用することができる。このようにしてもまた、前記量産効果による低コスト化を図ることができる。
【００８２】
本発明の実施のさらに他の形態について、図８〜図１１ならびに前記図１２および図１３に基づいて説明すれば、以下のとおりである。
【００８３】
図８は、本発明の実施のさらに他の形態の表示駆動装置であるソースドライバ６０の構成を示すブロック図である。このソースドライバ６０も、前述の図１２で示すソースドライバＳＤとして用いられ、上述のソースドライバ３０に類似し、対応する部分には同一の参照符号を付して、その説明を省略する。注目すべきは、このソースドライバ６０では、基準電圧発生回路６７には、図９および図１０で示すプリチャージ／ディスチャージ回路６１を備えていることであり、その他の構成は、前述のソースドライバ３０と同様である。
【００８４】
図９は前記抵抗分割回路４０およびバイパス回路４１に前記プリチャージ／ディスチャージ回路６１を含めた基準電圧発生回路６７の概略の構成を示すブロック図であり、図１０はそのプリチャージ／ディスチャージ回路６１の具体的構成を示すブロック図である。プリチャージ／ディスチャージ回路６１は、２つのＭＯＳトランジスタＰ３，Ｎ３と、ＮＡＮＤ回路６２と、ＡＮＤ回路６３と、インバータ回路６４と、カウンタ６５とを備えて構成される。
【００８５】
ＰチャネルＭＯＳトランジスタＰ３のソース電極はハイレベルの電源ＶＬＳに接続され、ＮチャネルＭＯＳトランジスタＮ３のソース電極はＧＮＤに接続され、これらのＭＯＳトランジスタＰ３，Ｎ３のドレイン電極は共通に、前記９種類の参照電圧の内、Ｖ’６４に接続される。ＰチャネルＭＯＳトランジスタＰ３のゲート電極にはＮＡＮＤ回路６２の出力端子が、ＮチャネルＭＯＳトランジスタＮ３のゲート電極にはＡＮＤ回路６３の出力端子が、それぞれ接続される。ＮＡＮＤ回路６２、ＡＮＤ回路６３、インバータ回路６４およびカウンタ６５は、論理回路を構成し、ＮＡＮＤ回路６２の一方の入力端子には前記参照電圧Ｖ’６４が与えられ、ＡＮＤ回路６３の一方の入力端子には前記参照電圧Ｖ’６４がインバータ回路６４で反転されて与えられ、これらのＮＡＮＤ回路６２およびＡＮＤ回路６３の他方の入力端子には前記カウンタ６５の出力が与えられる。前記カウンタ６５は、端子ＴＬへの水平同期信号ＬＳで一旦初期化された後、端子ＴＣへのクロック信号ＣＫに基づいてプリチャージおよびディスチャージ期間を作成する。
【００８６】
以下、本実施の形態のソースドライバ３０の動作を説明する。なお、このソースドライバ３０は、ライン反転駆動法にて動作されるものとする。ライン反転駆動法では、対向電極３（図１２および図１３参照）に印加される電圧の交流成分の周期は、水平期間と等しい。すなわち、ライン反転駆動法が用いられる場合、対向電極３は、単一電源で、水平期間と同じ周期で、交流駆動される。
【００８７】
ここで、データ信号の交流成分は、前記対向電極３に印加される電圧の交流成分の振幅中心を中心として、水平期間以下の予め定める周期で変化し、その振幅は絵素の階調に応じて変化する。絵素の階調が最大である場合、すなわち絵素を黒色にする場合のデータ信号の交流成分と、絵素の階調が最小である場合、すなわち絵素を白色にする場合のデータ信号の交流成分とは、極性が反転している。しかしながら、絵素の階調が最大およぴ最小であっても、その場合のデータ信号の振幅は、どちらも、前記対向電極３に印加される電圧の交流成分の振幅よりも小さい。
【００８８】
したがって、前記液晶駆動電圧出力に対して、対向電極３の交流信号が切換わる時に、前記画素容量１４やソース信号ラインＳの容量等（図１３参照）の負荷容量を介して、図１１において参照符β１，β２で示すように発生する突き下げ、突き上げの影響が大きい。この突き下げ、突き上げの発生によって液晶駆動電圧出力の出力の立上り、立下り時間は、参照符α１，α２で示す理想波形より増大し、その結果、参照符α１１，α２１で示すように画素容量１４の充放電に要する時間は長引くことになる。これによって、ゲートＯＮ時間内における画素容量１４への電荷が未充電となり、表示品位を低下させることになる。
【００８９】
また、たとえば参照電圧Ｖ’０の振幅が一番最大となるよう構成され、逆に参照電圧Ｖ’６４の振幅が一番最小となるよう構成されると、液晶駆動電圧出力の全出力が電圧Ｖ０を出力する場合、該基準電圧発生回路６７の出力端子には最大の負荷が加わることになる。
【００９０】
このため、本実施の形態では、ＮＡＮＤ回路６２およびＡＮＤ回路６３の一方の入力端子に与えられる参照電圧Ｖ’６４の振幅に応じて、ＰチャネルＭＯＳトランジスタＰ３とＮチャネルＭＯＳトランジスタＮ３とのどちらか一方を選択し、カウンタ６５で作成された期間Ｗだけ、プリチャージ動作またはディスチャージ動作させることで、参照符α１２，α２２で示すように負荷容量の充放電に要する時間が長引いてしまうことを回避し、実用上問題ない表示を行うことを可能としている。
【００９１】
これによって、前記負荷容量による液晶駆動電圧出力の突き下げと突き上げとの内、振幅レベルの大きい側を効果的に抑制し、一層良好な表示品位を確保することができる。
【００９２】
なお、上述の説明では、前記プリチャージ／ディスチャージ動作は参照電圧Ｖ’６４に対して行われ、また前述の説明では、ＤＣ電流の印加は参照電圧の最小値および最大値となるＶ’０とＶ’６４との間で行われたけれども、残余の参照電圧Ｖ’８〜Ｖ’５６の安定化のために、少なくとも前記Ｖ’０とＶ’６４との参照電圧に対して行われればよく、それ以外にも、たとえば最大電圧と最小電圧との中間値の使用頻度が高い場合には、その電圧に対しても、前記プリチャージ／ディスチャージ動作やＤＣ電流の印加が行われてもよい。
【００９３】
本発明は、液晶表示装置以外にも、画素容量へ充放電を行い、印加電圧によって階調制御を行うプラズマ表示装置などにも適用することができる。
【００９４】
【発明の効果】
本発明の表示駆動装置は、以上のように、液晶駆動装置のソースドライバなどとして実現され、基準電圧発生手段で、電源から入力されるＤＣの参照電圧を細分化して、多数の階調表示用のアナログ電圧を発生し、選択手段で、そのアナログ電圧の内、入力された表示データに対応した電圧を選択して、ボルテージフォロア回路などの出力回路を介することなく、直接表示パネルへ出力するようにした表示駆動装置において、前記分割手段の少なくとも両端から、すなわち分割手段に最大の参照電圧を印加する端子間に、バイパス手段によって、前記電源からとは異なる経路でＤＣ電流を供給する。
【００９５】
それゆえ、前記出力回路を省略し、低消費電力化や回路スペースを縮小化するようにしても、該表示駆動装置側自身で、電源から供給される参照電圧の電流供給能力を補うことが可能となり、表示素子を駆動する階調表示電圧波形の立上り・立下りの鈍りや画素容量への充放電による電圧変動を抑えることができ、γ特性のずれ等を抑えた正確な階調表示電圧を確保することができる。
【００９６】
さらにまた、電源や従来の基準電圧発生手段を設計した後、バイパス手段を付加して本発明の基準電圧発生手段とすることで、当初の仕様以上の大きな画素容量の表示パネルへの適用が可能となり、表示パネルの仕様変更が容易にできるようになり、また表示駆動装置ＩＣの適用範囲を拡大し、量産効果によるＩＣの低コスト化を図ることもできる。
【００９７】
また、表示駆動装置内で、選択手段の近くで電源を補強することによって、前記電源と該表示駆動装置との間の前記参照電圧のための電源配線の抵抗を高くすることができ、これらの間でのノイズの侵入を低減でき、表示品位を向上することもできる。
【００９８】
また、本発明の表示駆動装置は、以上のように、前記基準電圧発生手段のバイパス手段を、前記ＤＣ電流を供給するパワー素子と、極性反転信号に応じて前記パワー素子をＯＮ／ＯＦＦ制御し、前記アナログ電圧として、正極性の電圧と負極性の電圧とを切換え出力させる論理回路とを内蔵して構成する。
【００９９】
それゆえ、対向交流駆動にも対応することができる。
【０１００】
さらにまた、本発明の表示駆動装置は、以上のように、前記基準電圧発生手段のバイパス手段を、前記ＤＣ電流を供給するパワー素子と、カウンタを含み、予め定める期間だけ前記ＤＣ電流を供給するように前記パワー素子をＯＮ／ＯＦＦ制御する論理回路とを内蔵して構成する。
【０１０１】
それゆえ、ＤＣ電流の供給を前記予め定める期間だけとし、消費電力を一層低減することができる。
【０１０２】
また、前記カウンタを常時リセットする信号を入力することで、前記バイパス回路の動作を停止させ、従来の表示駆動装置と同様の動作とさせることができる。これによって、前記表示パネルとして、前記バイパス手段を動作させる比較的大型のパネルと、バイパス手段の動作を停止させる比較的小型のパネルとに、同じ表示駆動装置を使用することができ、量産効果による低コスト化を図ることができる。
【０１０３】
また、本発明の表示駆動装置は、以上のように、前記基準電圧発生手段を、プリチャージおよびディスチャージのＤＣ電流を供給するパワー素子と、予め定める期間だけ前記プリチャージおよびディスチャージのＤＣ電流を供給するように前記パワー素子をＯＮ／ＯＦＦ制御する論理回路とを内蔵するプリチャージ／ディスチャージ手段を備えて構成する。
【０１０４】
それゆえ、対向電極の交流信号が切換わる時に、画素容量や信号線等の負荷容量を介して、前記階調表示電圧出力に突き下げ、突き上げが発生しても、プリチャージ動作またはディスチャージ動作させることで、前記負荷容量の充放電に要する時間が長引いてしまうことを回避し、実用上問題ない表示を行うことができる。これによって、前記負荷容量による階調表示電圧出力の突き下げ、突き上げを抑え、一層良好な表示品位を確保することができる。
【０１０５】
さらにまた、本発明の表示駆動装置は、以上のように、前記プリチャージ／ディスチャージ手段の論理回路は、参照電圧の振幅の最大値または最小値に応じて、前記プリチャージ動作とディスチャージ動作との切換えを行う。
【０１０６】
それゆえ、前記突き下げと突き上げとの内、振幅レベルの大きい側を効果的に抑制することができる。
【図面の簡単な説明】
【図１】本発明の実施の一形態の表示駆動装置であるソースドライバの構成を示すブロック図である。
【図２】図１で示すソースドライバにおける基準電圧発生回路の回路構成を示す図である。
【図３】前記基準電圧発生回路からＤＡ変換回路の構成を示す電気回路図である。
【図４】前記基準電圧発生回路におけるバイパス回路の構成を示すブロック図である。
【図５】前記ソースドライバの動作を説明するための波形図である。
【図６】本発明の実施の他の形態のソースドライバにおけるバイパス回路の構成を示すブロック図である。
【図７】図６で示すバイパス回路の動作を示す波形図である。
【図８】本発明の実施のさらに他の形態の表示駆動装置であるソースドライバの構成を示すブロック図である。
【図９】図８で示すソースドライバにおける基準電圧発生回路の概略の構成を示すブロック図である。
【図１０】前記基準電圧発生回路におけるプリチャージ／ディスチャージ回路の具体的構成を示すブロック図である。
【図１１】対向電極の交流信号の切換わり時における液晶駆動電圧出力の突き下げ、突き上げの様子を説明するための波形図である。
【図１２】ＴＦＴアクティブマトリクス方式の液晶表示装置のブロック構成を示す図である。
【図１３】液晶パネルの構成を示す等価回路図である。
【図１４】液晶駆動波形の一例を示す図である。
【図１５】液晶駆動波形の他の例を示す図である。
【図１６】典型的な従来技術のソースドライバの構成を示すブロック図である。
【図１７】図１６で示すソースドライバにおける基準電圧発生回路の回路構成を示す図である。
【図１８】前記基準電圧発生回路における抵抗の構成を示す電気回路図である。
【図１９】ＤＡ変換回路の一構成例を示す図である。
【図２０】γ補正を行なった場合における６ビットの表示データと、液晶駆動出力電圧との関係を示すグラフである。
【符号の説明】
１    液晶表示装置
２    液晶パネル
３    対向電極
１１    画素電極
１２    ＴＦＴ
１４    画素容量
３０，６０，ＳＤ    ソースドライバ（表示駆動装置）
３１    入力ラッチ回路
３２    シフトレジスタ回路
３３    サンプリングメモリ回路
３４    ホールドメモリ回路
３５    レベルシフタ回路
３６    ＤＡ変換回路（選択手段）
３７，６７    基準電圧発生回路（基準電圧発生手段）
３９    液晶駆動電圧出力端子
４０    抵抗分割回路
４１，４１ａ    バイパス回路（バイパス手段）
５１，５１ａ，５２，５２ａ，６２    ＮＡＮＤ回路（論理回路）
５３，５３ａ，５４，５４ａ    ＮＯＲ回路（論理回路）
５５，５６，５８，６４    インバータ回路（論理回路）
５７，６５    カウンタ
６１    プリチャージ／ディスチャージ回路
６３    ＡＮＤ回路（論理回路）
ＣＴＬ  コントローラ
Ｇ    ゲート信号ライン
ＧＤ    ゲートドライバ
Ｎ１〜Ｎ３    ＮチャネルＭＯＳトランジスタ
Ｐ１〜Ｐ３    ＰチャネルＭＯＳトランジスタ
ＲＥＧ  液晶駆動電源
Ｒ０〜Ｒ７    抵抗
ｒ１〜ｒ４    抵抗素子
Ｓ    ソース信号ライン
ＳＷ０〜ＳＷ５    アナログスイッチ
【図１】
0003795361.tif 000003
【図２】
0003795361.tif 000004
【図３】
0003795361.tif 000005
【図４】
0003795361.tif 000006
【図５】
0003795361.tif 000007
【図６】
0003795361.tif 000008
【図７】
0003795361.tif 000009
【図８】
0003795361.tif 000010
【図９】
0003795361.tif 000011
【図１０】
0003795361.tif 000012
【図１１】
0003795361.tif 000013
【図１２】
0003795361.tif 000014
【図１３】
0003795361.tif 000015
【図１４】
0003795361.tif 000016
【図１５】
0003795361.tif 000017
【図１６】
0003795361.tif 000018
【図１７】
0003795361.tif 000019
【図１８】
0003795361.tif 000020
【図１９】
0003795361.tif 000021
【図２０】
0003795361.tif 000022